(57)【要約】【課題】本発明は、器具取付金具を安定した状態に支持させて、この器具取付金具に取り付けた実験器具支持具を介して実験器具を安定的に支持することができる理化学用枠体を提供する。【解決手段】本発明の挟持金具１は、断面正方形状の縦杆、横杆２、３を組み立てて理化学用枠体Ｆを形成するための挟持金具１であって、一対の左右挟持板部４、５の後端間を背面板部６により一体的に連結してなる平面コ字状の金具本体1aと、この金具本体1aにおける左右挟持板部４、５の後半部間に縦杆２を上下方向に挿通させる縦杆挿通部11を形成していると共に、左右挟持板部４、５の前半部に横杆３を挿通、支持させる左右横杆用開口部７、８を開設し且つ左右横杆用開口部７、８の前端面を上記横杆の前面を全面的に受止する直状受止端面72、82に形成し、更に、金具本体1aの背面板部６に縦杆２の後面22を押圧するボルト体62を螺合させてなる。【選択図】    図１
2004195372.tif 000002
【特許請求の範囲】
【請求項１】
断面正方形状の縦杆及び横杆を格子状に組み立てて理化学用枠体を形成するための挟持金具であって、上記縦杆の左右幅に合致した間隔を存して並設された一対の左右挟持板部の後端間を背面板部により一体的に連結してなる平面コ字状の金具本体と、この金具本体における左右挟持板部の後半部間に上記縦杆を上下方向に挿通させる縦杆挿通部を形成していると共に、上記左右挟持板部の前半部に該左右挟持板部間に架設状態で横杆を挿通、支持させる左右横杆用開口部を開設し且つ左右横杆用開口部の前端面を上記横杆の前面を受止する直状受止端面に形成し、更に、金具本体の背面板部に縦杆の後面を押圧するボルト体を螺合させていることを特徴とする挟持金具。
【請求項２】
直状受止端面の上下端から横杆の上下面に沿う上下端面を後方に向かって連設していることを特徴とする請求項１に記載の挟持金具。
【請求項３】
直状受止端面の中央部に凹部が切欠き形成されていることを特徴とする請求項１又は請求項２に記載の挟持金具。
【発明の詳細な説明】
【０００１】
【発明の属する技術分野】
本発明は、実験台上に配設され且つ実験器具を安定的に取り付けることができる理化学用枠体を形成するための挟持金具に関する。
【０００２】
【従来の技術】
従来から理化学用実験台上には理化学用枠体が配設されており、この理化学用枠体は、円柱状の縦杆と横杆とを格子状に組み合わせるとともに、上記縦杆と上記横杆とをそれらの交差部分において挟持金具を用いて連結一体化することによって組み立てられている。
【０００３】
詳細には、上記挟持金具Ａは、図１２及び図１３に示すように、断面く字状の挟持溝A11 、A21 を夫々有する垂直挟持部A1と水平挟持部A2とを背中合わにして一体化していると共にこれらの垂直挟持部A1と水平挟持部A2とのそれぞれの挟持溝A11 、A21 に向かって進退自在なボルト体A12 、A22 を備えてなり、この挟持金具Ａを上記円柱状の縦杆Ｄと横杆Ｅとの各交差部に配設してその垂直挟持部A1の挟持溝A11 に縦杆Ｄを、水平挟持部A2の挟持溝A21 に横杆Ｅを夫々受け入れた状態にした後、ボルト体A12 、A22 を螺進させてその先端部を縦杆Ｄと横杆Ｅに当接させることにより縦杆Ｄと横杆Ｅとを交差させた状態で連結一体化し、格子状の理化学用枠体を組立てている。
【０００４】
そして、この格子状に組立てられた理化学用枠体に実験器具支持具Ｃを支持させる場合、上記挟持金具Ａと同一構造の器具取付金具Ｂを用いて、その垂直挟持部B1と水平挟持部B2とのいずれか一方の挟持部の挟持溝とボルト体とによって円柱状の縦杆Ｄ又は横杆Ｅの適所にこの器具取付金具Ｂを固定し、他方の挟持部の挟持溝とボルト体とによって上記実験器具支持具Ｃを挟持、固定させた後、この実験器具支持具Ｃの先端部に実験器具を支持させて実験台上に実験装置を配設し種々の実験を行っている。
【０００５】
しかしながら、従来の理化学用枠体の縦杆Ｄ及び横杆Ｅは円柱状に形成されていることから、例えば、図１２及び図１３に示したように、器具取付金具Ｂをその水平挟持部B2に横杆Ｅを挟持させることによって該横杆Ｅに固定させた場合において、器具取付金具Ｂに支持させた実験器具支持具Ｃの先端部に配設した実験器具の重さが重いときや、器具取付金具Ｂの水平挟持部B2における上記横杆Ｅへの挟持、固定が不十分である時には、上記器具取付金具Ｂの挟持用ボルト体B12の先端面が上記理化学用枠体の横杆Ｅの凸円弧状面に沿って滑動して、上記器具取付金具Ｂが上記横杆Ｅを中心にして下方に不測に回動、変位し、この器具取付金具Ｂの回動に伴って該器具取付金具Ｂに支持させた実験器具支持具Ｃの先端部に配設した実験器具の位置が変位して実験器具相互間の相対位置が変化し実験器具が破損したり、或いは、実験器具内に入れた化学薬品が不測にこぼれるといった問題点があった。
【０００６】
又、図１４及び図１５に示したように、上記器具取付金具Ｂをその垂直挟持部B1を利用して縦杆Ｄに挟持、固定させている場合には、器具取付金具Ｂに支持させた実験器具支持具Ｃに不測に接触した際、上記器具取付金具Ｂの上記縦杆Ｄへの挟持、固定が不十分であるときには、上記と同様に、上記器具取付金具Ｂの挟持用ボルト体B12 の先端面が上記理化学用枠体の縦杆Ｄの凸円弧状面に沿って滑動して、上記器具取付金具Ｂが上記縦杆Ｄを中心にして水平方向に不測に回動、変位し、この器具取付金具Ｂの回動に伴って該器具取付金具Ｂに支持させた実験器具支持具Ｃの先端部に配設した実験器具の位置が変位して実験器具相互間の相対位置が変化し実験器具が破損したりするといった問題点があった。
【０００７】
【発明が解決しようとする課題】
本発明は、器具取付金具を安定した状態に支持させて、この器具取付金具に取り付けた実験器具支持具を介して実験器具を安定的に支持することができる理化学用枠体を組み立てることができる挟持金具を提供する。
【０００８】
【課題を解決するための手段】
請求項１に記載の挟持金具は、断面正方形状の縦杆及び横杆を格子状に組み立てて理化学用枠体を形成するための挟持金具であって、上記縦杆の左右幅に合致した間隔を存して並設された一対の左右挟持板部の後端間を背面板部により一体的に連結してなる平面コ字状の金具本体と、この金具本体における左右挟持板部の後半部間に上記縦杆を上下方向に挿通させる縦杆挿通部を形成していると共に、上記左右挟持板部の前半部に該左右挟持板部間に架設状態で横杆を挿通、支持させる左右横杆用開口部を開設し且つ左右横杆用開口部の前端面を上記横杆の前面を受止する直状受止端面に形成し、更に、金具本体の背面板部に縦杆の後面を押圧するボルト体を螺合させていることを特徴とする。
【０００９】
又、請求項２に記載の挟持金具は、請求項１に記載の挟持金具において、直状受止端面の上下端から横杆の上下面に沿う上下端面を後方に向かって連設していることを特徴とする。
【００１０】
更に、請求項３に記載の挟持金具は、請求項１又は請求項２に記載の挟持金具において、直状受止端面の中央部に凹部が切欠き形成されていることを特徴とする。
【００１１】
【作用】
本発明の挟持金具は、断面正方形状の縦杆を縦杆挿通部に、断面正方形状の横杆を左右横杆用開口部に左右挟持板部に架設させた状態で挿通させた上でボルト体を縦杆の後面に向かって螺進させることによって、縦杆と横杆とを直交させた状態で強固に連結一体化させて理化学用枠体を形成することができる。
【００１２】
この挟持金具で縦杆及び横杆を連結一体化させた状態では、縦杆と横杆とはそれらの交差部において互いに面接触した状態で一体化されていると共に、横杆の前面が左右挟持板部の直状受止端面の全長に亘って安定的に受止されていることから、縦杆と横杆とは強固に且つ安定的に挟持、連結一体化されている。
【００１３】
【発明の実施の形態】
本発明の挟持金具の一例を図面を参照しつつ説明する。挟持金具１は、図１乃至図４に示したように、断面正方形状で一定長さを有する角棒材からなる複数本の縦杆２及び横杆３を任意の面（前面）21、31が正面を向いた直交状態に、即ち、縦杆２の前面21と横杆３の後面32とが交差部において全面的に密着した直交状態に連結一体化して理化学用枠体Ｆを形成するための挟持金具である。なお、上記理化学用枠体Ｆにおける縦杆２のうちの少なくとも一本、横杆３のうちの少なくとも一本が角棒状であればよい。
【００１４】
上記挟持金具１の金具本体1aは、図２に示したように、縦杆２及び横杆３を直交させた状態で前後方向に密着させた際における縦杆２及び横杆３の前後方向の合計厚みよりも長い前後長さを有し且つ横杆３の上下厚みよりも長い上下長さを有する側面略横長長方形状で互いに平行に並設された一対の左右挟持板部４、５の後端間を上下方向の全長に亘って連結する正面縦長長方形状の背面板部６とからなり、前方が全面的に開口10した平面コ字状に形成されている。
【００１５】
そして、図３及び図４に示したように、上記背面板部６の前面中央部にはナット体61が一体的に設けられ、このナット体61には背面板部６を前後方向に貫通した状態に配設されたボルト体62が前後方向に進退自在に螺合されている。なお、ナット体61の前面61a は、平坦な垂直面に形成されている。
【００１６】
更に、上記左右挟持板部４、５の対向面間の間隔は上記縦杆２の左右幅に略合致した寸法に形成されており、左右挟持板部４、５の後半部間に上記縦杆２を左右方向に妄動することなく安定的に挿通し得る縦杆挿通部11を形成している。
【００１７】
又、上記左右挟持板部４、５の前半部には、横杆３を挿通、支持させるための左右一対の横杆用開口部７、８が開設されている。具体的には、上記左右横杆用開口部７、８は、左右挟持板部４、５の前半部の夫々を該左右挟持板部４、５の上端面に開口し且つ横杆３の上下寸法よりも長い上下寸法でもって側面略長方形状に切り欠くことにより形成され、その上端開口部7a、8aを通じて横杆３を左右横杆用開口部７、８内に挿入可能に形成されている。
【００１８】
更に、上記左右横杆用開口部７、８の前端は、その下端から横杆３の上下寸法に合致した上下幅でもって前方に向かって側面縦長長方形状に切り欠くことによって挿入凹部71、81が形成されている。
【００１９】
そして、上記挿入凹部71、81の前端面は、その全長に亘って直状受止端面72、82に形成され、左右横杆用開口部７、８内に左右挟持板部４、５間に架設状態に挿通、支持された横杆３の前面31を直状受止端面72、82の上下方向の全長にて安定的に受止させるように構成されており、更に、上記直状受止端面72、82の上下方向の中央部には、前方に向かって側面半円形状の凹部72a 、82a が切り欠き形成されている。なお、直状受止端面72、82の凹部72a 、82a 形状は、特に限定されず、四角形状、三角形状等の何れの形状であってもよい。
【００２０】
又、左右横杆用開口部７、８における直状受止端面72、82の下端から後方に向かって直角に連続する下端面は、直状受止端面72、82との連設部から横杆３の前後寸法に相当する長さ部分において、横杆３の下面33を前後方向に全面的に支持する直状支持端面73、83に形成されている一方、直状受止端面72、82の上端から後方に向かって直角に連続する上端面74、84、即ち、上記挿入凹部71、81の上端面も横杆３の上面に沿った直状に形成されている。
【００２１】
更に、直状支持端面73、83の後端と左右横杆用開口部７、８の垂直後端面75、85の下端とは、凹円弧状面76、86を介して連設した状態となっている。そして、上記金具本体1aの縦杆挿通部11内に縦杆２をその後面22が背面板部６のナット体61の前面61a に当接した状態に挿通させると、縦杆２の前面21と左右横杆用開口部７、８の垂直後端面75、85とが前後方向に略合致した状態となるように構成されている。
【００２２】
なお、上記の如くして形成された左右挟持板部４、５の左右横杆用開口部７、８は、同一形状、同一大きさに形成され、縦杆２の前面21を含む平面に平行な水平方向から見ると完全に合致するように形成されている。
【００２３】
次に、上記挟持金具１を用いて理化学用枠体Ｆを形成する要領について説明する。先ず、上記挟持金具１の縦杆挿通部11に縦杆２をその前面21が前方を指向した状態に上下方向（鉛直方向）に挿通させて、縦杆２の後面22が背面板部６のナット体61の前面61a に当接した状態に配設した後、横杆用開口部７、８内にその上端開口部7a、8aを通じて横杆３をその前面31が前方を指向した水平状態に挿通させて左右挟持板部４、５間に架設させると共に、横杆３の前端部を横杆用開口部７、８の挿入凹部71、81内に挿入させ、横杆３の前面31を横杆用開口部７、８の直状受止端面72、82に該直状受止端面72、82の上下方向の全長に亘って全面的に受止させた状態に配設する。なお、挟持金具１のボルト体62は、その先端がナット体61の前面61a から没入した状態に予め螺退させてある。
【００２４】
しかる後、上記挟持金具１のボルト体62を前方に向かって螺進させ、ボルト体62の先端部で縦杆２の後面22を前方に向かって押圧し、縦杆２を介してこの縦杆２の前方に配設された横杆３の前面31を横杆用開口部７、８の直状受止端面72、82に押圧して、縦杆２及び横杆３を横杆用開口部７、８の直状受止端面72、82とボルト体62とによって前後方向から強固に挟持して互いに直交した状態に連結固定する。
【００２５】
この時、図５乃至図７に示したように、縦杆２と横杆３とは、その交差部において、縦杆２の平坦な前面21と横杆３の平坦な後面32とが平面的に密着した安定した状態で固定されており、縦杆２及び横杆３は互いに直交した状態に安定的に連結、固定されている。
【００２６】
更に、横杆３の前面31は、左右方向に所定間隔を存した部分にて、挟持金具１における横杆用開口部７、８の直状受止端面72、82に該直状受止端面72、82の上下方向の全長に亘って安定的に受止され、ボルト体62による縦杆２及び横杆３への押圧力を直状受止端面72、82にて面的に分散させつつ受止していることから、挟持金具１における横杆用開口部７、８の前端部分がボルト体62の押圧力によって破損したりすることはなく、ボルト体62の押圧力によって縦杆２及び横杆３を強固に且つ確実に直交させた状態に連結一体化することができる。
【００２７】
上記要領でもって、複数本の縦杆２及び横杆３を互いに直交状態とし、縦杆２と横杆３との交差部分を挟持金具１を用いて連結一体化して格子状に組み合わせる。
【００２８】
そして、実験台Ｇ上には二本の支持杆Ｈ、Ｈが水平（左右）方向に一定間隔を存して垂直に起立した状態に配設されており、この支持杆Ｈ、Ｈに、上記挟持金具１を用いて格子状に組み立てられた上記縦杆２及び上記横杆３における横杆３の両端部を上記と同様に挟着、支持させることによって、複数本の縦杆２と横杆３とを格子状に組み立ててなる理化学用枠体Ｆが上記実験台Ｇ上に安定した状態に配設される。
【００２９】
次に、上記理化学用枠体Ｆの使用要領について説明する。上記挟持金具１は、器具取付金具としても用いることができ、始めに、上記理化学用枠体Ｆの縦杆２に器具取付金具として挟持金具１を固着し、この挟持金具１に取り付けた実験器具支持具Ｃに実験器具Ｉを支持させ、実験器具Ｉを実験台Ｇ上に配設する要領について説明する。
【００３０】
なお、実験器具支持具Ｃは、従来から用いられている実験器具支持具Ｃが用いられ、具体的には、例えば、一定長さを有する断面円形状の棒状体からなる支持棒C1とこの支持棒C1の先端部に一体的に設けられた実験器具Ｉを挟持する器具挟持部C2とからなる。
【００３１】
先ず、図１に示したように、上記挟持金具１をその金具本体1aの前端開口部10を通じて縦杆２に側方から被嵌し、挟持金具１の縦杆挿通部11内に縦杆２を垂直方向に指向し且つ背面板部６のナット体61の前面61a に縦杆２の側面23が当接、受止された状態に挿通、配設する。なお、背面板部６のボルト体62は、その先端がナット体61a の前面から没入した状態にしておく。
【００３２】
次に、挟持金具１の左右横杆用開口部７、８内にその上端開口部7a、8aを通じて実験器具支持具Ｃの支持棒C1を挿入し、支持棒C1を左右挟持板部４、５に架設された状態に配設する。
【００３３】
しかる後、図１及び図８に示したように、挟持金具１のボルト体62を縦杆２側に向かって螺進させて縦杆２の側面23を押圧し、実験器具支持具Ｃの支持棒C1を挟持金具１における直状受止端面72、82の凹部72a 、82a の開口端上下角部721a、721a、821a、821aに受止させた状態で、実験器具支持具Ｃの支持棒C1及び縦杆２をボルト体62の先端部と挟持金具１における直状受止端面72、82との間で挟持して連結一体化させ、実験器具支持具Ｃの支持棒C1が前方に向かって水平方向に突出した状態に安定的に配設する。
【００３４】
この状態では、上記実験支持具Ｃの支持棒C1は、直状受止端面72、82の凹部72a 、82a の開口端上下角部721a、821aと縦杆２の側面24でもって最小限の受止点にて立体的して安定的に支持されており、実験器具支持具Ｃの支持棒C1は、上下方向及び左右方向に妄動したり或いはその軸芯回りに回転したりすることはなく、実験器具支持具Ｃの支持棒C1を縦杆２に対して相対的な位置変化を生じさせることなく前方に水平方向に突出させた状態を確実に維持させることができる。
【００３５】
上記要領を繰り返して、同一の縦杆２に二つの実験器具支持具Ｃ、Ｃの器具挟持部C2、C2が上下方向に所定間隔を存して前方に突出した状態とする。しかる後、上側の実験器具支持具Ｃの器具挟持部C2に例えばコンデンサーI1を挟持、取付けるとともに、下側の実験器具支持具Ｃの器具挟持部C2に例えば丸底フラスコI2を挟持、取り付け、コンデンサーI1の下端部を丸底フラスコI2の上端開口部内に挿入、固定させることによって実験台Ｇ上に実験装置を配設する。
【００３６】
この状態においては、図１に示したように、上記縦杆２は、挟持金具１の縦杆挿通部11内に回動不能且つ妄動不能に挿通、固定されていることから、実験器具I1、I2にたとえ手などが接触した場合にあっても、挟持金具１は縦杆２回りに不測に回動したりすることはなく、その取付状態を確実に維持し、よって、上記挟持金具１に取り付けた実験器具支持具Ｃの器具挟持部C2に挟持、支持した実験器具はその配設位置を確実に維持し、例えば、コンデンサーI1と丸底フラスコI2との相対位置が変化して、コンデンサーI1と丸底フラスコI2との接続部分において丸底フラスコI2やコンデンサーI1が不測に破損するといったことはない。
【００３７】
しかも、上記挟持金具１は、その左右挟持板部４、５の対向内面が縦杆２の前後面21、22に当接した状態にして縦杆２に取り付けられていることから、上記挟持金具１の左右横杆用開口部７、８は前後方向に合致した状態に重なり合い、これら左右横杆用開口部７、８内に左右挟持板部４、５間に架設された状態に挿通、固定された実験器具支持具Ｃの支持棒C1は全て、縦杆２の前面21を含む面に対して直交する方向に指向した状態に自動的に位置決めされる。
【００３８】
従って、図１のように、複数個の実験器具Ｉ、Ｉ・・・を上下方向に配設する場合にあっても自動的に上下方向の実験器具Ｉ、Ｉ・・・の位置決めを行うことができ、実験器具Ｉ、Ｉ同士を簡単に且つ確実に接続することができる。
【００３９】
又、実験器具支持具Ｃの支持棒C1の突出位置を上下方向に移動させる場合にも、上記挟持金具１のボルト体62を僅かに螺退させて、挟持金具１の直状受止端面72、82とボルト体62の先端部とによる縦杆２及び実験器具支持具Ｃの支持棒C1に対する挟持力を緩めた後、挟持金具１をその縦杆挿通部11に縦杆２を挿通させたまま縦杆２に沿って上下方向にスライド変位させることによって、実験器具支持具Ｃの支持棒C1を縦杆２における上下方向の所望位置に簡単に移動させることができ、実験器具支持具Ｃの支持棒C1を所望位置に移動させた後はボルト体62を再び縦杆２側に螺進させることによって、実験器具支持具Ｃの支持棒C1を縦杆２の上下方向の所望位置にて縦杆２の前面21を含む面に対して直交する方向に指向した状態に自動的に位置決めされた状態に配設させることができる。
【００４０】
次に、上記理化学用枠体Ｆの横杆３に器具取付金具として挟持金具１を固着し、この挟持金具１に取り付けた実験器具支持具Ｃに実験器具Ｉを支持させ、実験器具Ｉを実験台Ｇ上に配設する要領について説明する。
【００４１】
先ず、図９に示したように、上記挟持金具１をその金具本体1aの前端開口部10を通じて横杆３に上方から被嵌して、挟持金具１の縦杆挿通部11内に横杆３を水平方向に指向し且つ背面板部６のナット体61の前面61a が横杆３の上面34に当接、受止された状態に挿通、配設させる。なお、背面板部６のボルト体62は、その先端がナット体61の前面61a から没入した状態にしておく。
【００４２】
次に、挟持金具１の左右横杆用開口部７、８内にその上端開口部7a、8aを通じて実験器具支持具Ｃの支持棒C1を挿入し、支持棒C1を左右挟持板部４、５に架設された状態に配設する。
【００４３】
しかる後、図９に示したように、挟持金具１のボルト体62を横杆３側に向かって螺進させて横杆３の上面34を押圧し、実験器具支持具Ｃの支持棒C1を挟持金具１における直状受止端面72、82の凹部72a 、82a の開口端上下角部721a、721a、821a、821aに受止させた状態で、実験器具支持具Ｃの支持棒C1及び横杆３をボルト体62の先端部と挟持金具１における直状受止端面72、82との間で挟持して連結一体化させ、実験器具支持具Ｃの支持棒C1が前方に向かって水平方向に突出した状態に安定的に配設する。
【００４４】
この状態では、上記実験支持具Ｃの支持棒C1は、直状受止端面72、82の凹部72a 、82a の開口端上下角部721a、721a、821a、821aと横杆３の下面33でもって最小限の受止点にて立体的に安定的に支持されており、実験支持具Ｃの支持棒C1は、上下方向及び左右方向に妄動したり或いはその軸芯回りに回転したりすることはなく、実験支持具Ｃの支持棒C1を横杆３に対して相対的な位置変化を生じさせることなく前方に水平方向に突出させた状態を確実に維持させることができる。
【００４５】
しかる後、実験器具支持具Ｃの器具挟持部C2に、例えば、実験器具である丸底フラスコI3を挟持、取り付けることによって実験台Ｇ上に配設する。この状態においては、図１０に示したように、上記横杆３は挟持金具１の縦杆挿通部11内に回動不能且つ妄動不能に挿通、固定されていることから、例えば、丸底フラスコI3の重量が重かったり或いは丸底フラスコI3に手等が接触した場合にあっても、挟持金具１は横杆３回りに不測に回動したりすることはなく、その取付状態を確実に維持し、よって、上記挟持金具１に取り付けた実験器具支持具Ｃの器具挟持部C2に挟持、支持させた実験器具I3はその配設位置を確実に維持する。
【００４６】
又、実験器具支持具Ｃの支持棒C1の突出位置を左右方向に移動させる場合にも、上記挟持金具１のボルト体62を僅かに螺退させて、挟持金具１の直状受止端面72、82とボルト体62の先端部とによる横杆３及び実験器具支持具Ｃの支持棒C1に対する挟持力を緩めた後、挟持金具１をその縦杆挿通部11内に横杆３を挿通させたまま横杆３に沿って左右方向にスライド変位させることによって、実験器具支持具Ｃの支持棒C1を横杆３における左右方向の所望位置に簡単に移動させることができ、実験器具支持具Ｃの支持棒C1を所望位置に移動させた後はボルト体62を再び横杆３側に螺進させることによって、実験器具支持具Ｃの支持棒C1を横杆３の所望位置にて横杆３の前面31を含む面に対して直交する方向に指向した状態に自動的に位置決め、配設させることができる。
【００４７】
なお、上記挟持金具１の横杆用開口部７、８は、その上端が開口した状態に形成したが、図１１に示したように、その上端を閉止した状態に形成してもよく、この場合には、横杆用開口部７、８内への横杆３の配設は、何れか一方の横杆用開口部から他方の横杆用開口部に横杆３をその端部から挿通させることにより行われる。図２に示した挟持金具１と同一構造部分については同一符号を付してその説明を省略した。
【００４８】
【発明の効果】
請求項１に記載の挟持金具は、断面正方形状の縦杆及び横杆を格子状に組み立てて理化学用枠体を形成するための挟持金具であって、上記縦杆の左右幅に合致した間隔を存して並設された一対の左右挟持板部の後端間を背面板部により一体的に連結してなる平面コ字状の金具本体と、この金具本体における左右挟持板部の後半部間に上記縦杆を上下方向に挿通させる縦杆挿通部を形成していると共に、上記左右挟持板部の前半部に該左右挟持板部間に架設状態で横杆を挿通、支持させる左右横杆用開口部を開設し且つ左右横杆用開口部の前端面を上記横杆の前面を受止する直状受止端面に形成し、更に、金具本体の背面板部に縦杆の後面を押圧するボルト体を螺合させていることを特徴とするので、断面正方形状の縦杆及び横杆を格子状に安定的に組み立てて理化学用枠体を簡単に且つ確実に形成することができる。
【００４９】
上記の如くして形成された理化学用枠体は断面正方形状に形成されており、実験器具支持具の理化学用枠体への器具取付金具として挟持金具を用いることによって、所望位置に実験器具を安定的に配設して実験装置を効率良く組み立てることができる。
【００５０】
又、請求項２に記載の挟持金具は、請求項１に記載の挟持金具において、直状受止端面の上下端から横杆の上下面に沿う上下端面を後方に向かって連設していることを特徴とするので、横杆の前面及び上下面を横杆用開口部の端面に安定的に支持させることができ、よって、断面正方形状の縦杆及び横杆を格子状に組み立ててなる理化学用枠体をより安定的に形成することができる。
【００５１】
最後に、請求項３に記載の挟持金具は、請求項１又は請求項２に記載の挟持金具において、直状受止端面の中央部に凹部が切欠き形成されていることを特徴とするので、挟持金具を、実験器具支持具の支持棒を縦杆又は横杆に支持させるための器具取付金具として用いた場合、実験器具支持具の支持棒を安定的に挟持、支持することができ、よって、実験器具支持具の支持棒を前方に向かって安定的に突出させた状態に配設することができる。
【図面の簡単な説明】
【図１】本発明の挟持金具を用いた理化学用枠体の使用状態を示した斜視図である。
【図２】本発明の挟持金具を示した斜視図である。
【図３】図２の挟持金具を示した平面図である。
【図４】図２の挟持金具を示した縦断面図である。
【図５】本発明の挟持金具の使用状態を示した要部斜視図である。
【図６】本発明の挟持金具の使用状態を示した垂直断面図である。
【図７】本発明の挟持金具の使用状態を示した水平断面図である。
【図８】本発明の挟持金具を器具取付金具として用いた使用状態を示した垂直断面図である。
【図９】本発明の挟持金具を用いた理化学用枠体の使用状態を示した斜視図である。
【図１０】本発明の挟持金具を器具取付金具として用いた使用状態を示した垂直断面図である。
【図１１】本発明の挟持金具の他の一例を示した斜視図である。
【図１２】従来の理化学用枠体の使用状態を示した斜視図である。
【図１３】器具取付金具の使用状態を示した垂直断面図である。
【図１４】従来の理化学用枠体の使用状態を示した斜視図である。
【図１５】器具取付金具の使用状態を示した水平断面図である。
【符号の説明】
１  挟持金具
1a  金具本体
２  縦杆
21  前面
３  横杆
４  左側挟持板部
５  右側挟持板部
６  背面板部
61  ナット体
62  ボルト体
７  左側横杆用開口部
7a  上端開口部
71  挿入凹部
72  直状受止端面
72a 凹部
73  直状支持端面
74  上端面
75  垂直後端面
８  左側横杆用開口部
8a  上端開口部
81  挿入凹部
82  直状受止端面
82a 凹部
83  直状支持端面
84  上端面
85  垂直後端面
Ｆ  理化学用枠体
【図１】
2004195372.tif 000003
【図２】
2004195372.tif 000004
【図３】
2004195372.tif 000005
【図４】
2004195372.tif 000006
【図５】
2004195372.tif 000007
【図６】
2004195372.tif 000008
【図７】
2004195372.tif 000009
【図８】
2004195372.tif 000010
【図９】
2004195372.tif 000011
【図１０】
2004195372.tif 000012
【図１１】
2004195372.tif 000013
【図１２】
2004195372.tif 000014
【図１３】
2004195372.tif 000015
【図１４】
2004195372.tif 000016
【図１５】
2004195372.tif 000017